(57)【要約】      （修正有）【課題】珍貴な植物と絶滅危惧野生植物との栽培装置を提供する。【解決手段】培養箱１２を含み、培養箱１２の中には上方に開口した移動チャンバ３４が設けられ、前記移動チャンバ３４の中には栽培用の培養盆３８が二つ置かれ、前記移動チャンバ３４の中には前記培養盆３８を固定しまたは移動することができる固定機構１０１が設けられ、前記固定機構１０１は前記移動チャンバ３４の左右両側の内壁にスライドできるように取り付けられた固定箱２８を含み、前記固定箱２８の中には第一ネジ山チャンバ４１が設けられ、前記第一ネジ山チャンバ４１の中には第一ネジ山ブロック４０がスライドできるように取り付けられ、前記第一ネジ山ブロック４０には固定ロッド３３が固定的に取り付けられ、前記固定ロッド３３と前記固定箱２８とがスライドできるように取り付けられ、前記固定ロッド３３と前記培養盆３８とが固定的に取り付けられている。【選択図】図１
2020182440.tif 000002
【特許請求の範囲】
【請求項１】
正面視で、培養箱を含み、培養箱の中には上方に開口した移動チャンバが設けられ、前記移動チャンバの中には栽培用の培養盆が二つ置かれ、前記移動チャンバの中には前記培養盆を固定しまたは移動することができる固定機構が設けられ、前記固定機構は前記移動チャンバの左右両側の内壁にスライドできるように取り付けられた固定箱を含み、前記固定箱の中には第一ネジ山チャンバが設けられ、前記第一ネジ山チャンバの中には第一ネジ山ブロックがスライドできるように取り付けられ、前記第一ネジ山ブロックには固定ロッドが固定的に取り付けられ、前記固定ロッドと前記固定箱とがスライドできるように取り付けられ、前記固定ロッドと前記培養盆とが固定的に取り付けられ、前記第一ネジ山ブロックが移動する時、前記第一ネジ山ブロックが前記培養盆を移動連動させ、左右の前記培養盆が互いにくっつくことによって野生植物の苗木を培養するとができ、左右の前記培養盆が互いに離れることによって野生植物の苗木を土と一緒に取り出して移植することができ、前記培養箱の中には前記培養盆を装置から出すことができる移動機構が設けられ、前記移動機構は前記培養箱の中に設けられた伝動チャンバを含み、前記伝動チャンバの後側内壁の中には前記培養箱の後側面を貫通した動力ロッドが回転できるように取り付けられ、前記動力ロッドには揺動ロッドが固定的に取り付けられ、前記揺動ロッドは前記移動機構に動力を提供し、
前記固定箱の頂面には前記培養箱の中に栽培された野生植物を保温することができる保温機構が固定的に取り付けられていることを特徴とする珍貴な植物と絶滅危惧野生植物との栽培装置。
【請求項２】
前記培養盆の中には流水溝が設けられ、土から流れてくる水は前記流水溝を経由し前記培養盆から流れ出ることができることを特徴とする請求項１に記載の珍貴な植物と絶滅危惧野生植物との栽培装置。
【請求項３】
前記固定機構は第一ネジ山孔と、回転チャンバと、第一ネジロッド、第一傘歯車と、ノブロッドと、第二傘歯車と、ノブとから構成され、
前記第一ネジ山ブロックの中には前記第一ネジ山孔が設けられ、前記第一ネジ山チャンバの片側には前記回転チャンバが設けられ、前記回転チャンバと前記第一ネジ山チャンバとの間には前記第一ネジロッドが回転できるように取り付けられ、前記第一ネジロッドと前記第一ネジ山孔とがねじ山によって取り付けられ、前記第一ネジロッドのうち前記回転チャンバの中に位置したところには前記第一傘歯車が固定的に取り付けられ、前記回転チャンバの頂壁の中には前記固定箱の頂面を貫通したノブロッドが回転できるように取り付けられ、前記ノブロッドの底面には前記第二傘歯車が固定的に取り付けられ、前記第二傘歯車と前記第一傘歯車とが噛合しており、前記ノブロッドの頂面には前記ノブが固定的に取り付けられていることを特徴とする請求項１に記載の珍貴な植物と絶滅危惧野生植物との栽培装置。
【請求項４】
前記培養チャンバの中には置き板がスライドできるように取り付けられ、前記置き板の中には抜き穴が設けられ、前記置き板の底面には支持ロッドが固定的に取り付けられ、前記支持ロッドが前記流水溝を貫通しており、前記支持ロッドの左右両側には移動ブロックが固定的に取り付けられ、前記移動ブロックにはヒンジロッドがヒンジによって取り付けられ、前記ヒンジロッドと前記第一ネジ山ブロックとがヒンジによって取り付けられていることを特徴とする請求項１に記載の珍貴な植物と絶滅危惧野生植物との栽培装置。
【請求項５】
前記移動機構は噛合チャンバと、伝動ロッドと、第三傘歯車と、第四傘歯車とから構成され、
前記伝動チャンバの左右両側には前記噛合チャンバが設けられ、左右の前記噛合チャンバの間には前記伝動ロッドが回転できるように取り付けられ、前記伝動ロッドのうち前記伝動チャンバの中に位置したところには前記第三傘歯車が固定的に取り付けられ、前記動力ロッドの前側面には前記第四傘歯車が固定的に取り付けられ、前記第四傘歯車と前記第三傘歯車とが噛合していることを特徴とする請求項１に記載の珍貴な植物と絶滅危惧野生植物との栽培装置。
【請求項６】
前記噛合チャンバの上方には第二ネジ山チャンバが設けられ、前記第二ネジ山チャンバの中には第二ネジ山ブロックがスライドできるように取り付けられ、前記第二ネジ山ブロックの中には下方に開口した第二ネジ山孔が設けられ、前記第二ネジ山チャンバと前記噛合チャンバとの間には第二ネジロッドが回転できるように取り付けられ、前記第二ネジロッドの底面には第五傘歯車が固定的に取り付けられ、前記伝動ロッドの左右側面には第六傘歯車が固定的に取り付けられ、前記第五傘歯車と前記第六傘歯車とが噛合しており、前記第二ネジ山ブロックの頂面には押し動かしロッドが固定的に取り付けられ、前記押し動かしロッドが前記培養箱とスライドできるように取り付けられ、前記押し動かしロッドと前記固定箱とが固定的に連結されていることを特徴とする請求項１に記載の珍貴な植物と絶滅危惧野生植物との栽培装置。
【請求項７】
前記保温機構は保温板と、補助ブロックと、挟み板とから構成され、
前記固定箱の頂面には前記保温板が固定的に取り付けられ、前記固定箱の頂面のうち前記保温板の後側に位置したところには前記補助ブロックが固定的に取り付けられ、前記補助ブロックには前記挟み板がヒンジによって取り付けられ、前記挟み板は前記保温板をカバーすることができることを特徴とする請求項１に記載の珍貴な植物と絶滅危惧野生植物との栽培装置。
【請求項８】
前記移動チャンバの下方には収集チャンバが連通するように設けられ、前記収集チャンバの下方には出口が連通するように設けられ、前記出口が前記培養箱の底面を貫通しており、植物にかける水の余った部分が連結溝と収集チャンバとを経由して出口から流れ出ることを特徴とする請求項１に記載の珍貴な植物と絶滅危惧野生植物との栽培装置。
【発明の詳細な説明】
【技術分野】
【０００１】
本発明は植物栽培技術分野を取り上げて、具体的には珍貴な植物と絶滅危惧野生植物との栽培装置である。
【背景技術】
【０００２】
生物の多様性を保つため、珍貴な植物と絶滅危惧野生植物とを栽培し、絶滅させないようにする必要がある。
一般的に珍貴な植物と絶滅危惧野生植物とを栽培するには移植栽培を行う必要があり、また、移植栽培の過程で野生植物の根部を傷つけないように、野生植物を大きな土の塊と一緒に移植する必要があり、しかし一般的な栽培装置は野生植物と土とを装置内から取り出すことが難しく、また、取り出す過程において野生植物を傷つける可能性がある。
【先行技術文献】
【特許文献】
【０００３】
【特許文献１】中国特許出願公開第１０４０９４８３３号明細書
【発明の概要】
【発明が解決しようとする課題】
【０００４】
本発明の目的は珍貴な植物と絶滅危惧野生植物との栽培装置を提供し、それは上記の現在の技術中の問題を解決できる。
【課題を解決するための手段】
【０００５】
本発明の珍貴な植物と絶滅危惧野生植物との栽培装置は、培養箱を含み、培養箱の中には上方に開口した移動チャンバが設けられ、前記移動チャンバの中には栽培用の培養盆が二つ置かれ、前記移動チャンバの中には前記培養盆を固定しまたは移動することができる固定機構が設けられ、前記固定機構は前記移動チャンバの左右両側の内壁にスライドできるように取り付けられた固定箱を含み、前記固定箱の中には第一ネジ山チャンバが設けられ、前記第一ネジ山チャンバの中には第一ネジ山ブロックがスライドできるように取り付けられ、前記第一ネジ山ブロックには固定ロッドが固定的に取り付けられ、前記固定ロッドと前記固定箱とがスライドできるように取り付けられ、前記固定ロッドと前記培養盆とが固定的に取り付けられ、前記第一ネジ山ブロックが移動する時、前記第一ネジ山ブロックが前記培養盆を移動連動させ、左右の前記培養盆が互いにくっつくことによって野生植物の苗木を培養するとができ、左右の前記培養盆が互いに離れることによって野生植物の苗木を土と一緒に取り出して移植することができ、前記培養箱の中には前記培養盆を装置から出すことができる移動機構が設けられ、前記移動機構は前記培養箱の中に設けられた伝動チャンバを含み、前記伝動チャンバの後側内壁の中には前記培養箱の後側面を貫通した動力ロッドが回転できるように取り付けられ、前記動力ロッドには揺動ロッドが固定的に取り付けられ、前記揺動ロッドを回転させることによって前記移動機構に動力を提供し、
前記固定箱の頂面には前記培養箱の中に栽培された野生植物を保温することができる保温機構が固定的に取り付けられている。
【０００６】
更の技術プラン、前記培養盆の中には流水溝が設けられ、土から流れてくる水は前記流水溝を経由し前記培養盆から流れ出ることができる。
【０００７】
更の技術プラン、前記固定機構は第一ネジ山孔と、回転チャンバと、第一ネジロッド、第一傘歯車と、ノブロッドと、第二傘歯車と、ノブとから構成され、前記第一ネジ山ブロックの中には前記第一ネジ山孔が設けられ、前記第一ネジ山チャンバの片側には前記回転チャンバが設けられ、前記回転チャンバと前記第一ネジ山チャンバとの間には前記第一ネジロッドが回転できるように取り付けられ、前記第一ネジロッドと前記第一ネジ山孔とがねじ山によって取り付けられ、前記第一ネジロッドのうち前記回転チャンバの中に位置したところには前記第一傘歯車が固定的に取り付けられ、前記回転チャンバの頂壁の中には前記固定箱の頂面を貫通したノブロッドが回転できるように取り付けられ、前記ノブロッドの底面には前記第二傘歯車が固定的に取り付けられ、前記第二傘歯車と前記第一傘歯車とが噛合しており、前記ノブロッドの頂面には前記ノブが固定的に取り付けられている。
【０００８】
更の技術プラン、前記培養チャンバの中には置き板がスライドできるように取り付けられ、前記置き板の中には抜き穴が設けられ、前記置き板の底面には支持ロッドが固定的に取り付けられ、前記支持ロッドが前記流水溝を貫通しており、前記支持ロッドの左右両側には移動ブロックが固定的に取り付けられ、前記移動ブロックにはヒンジロッドがヒンジによって取り付けられ、前記ヒンジロッドと前記第一ネジ山ブロックとがヒンジによって取り付けられている。
【０００９】
更の技術プラン、前記移動機構は噛合チャンバと、伝動ロッドと、第三傘歯車と、第四傘歯車とから構成され、前記伝動チャンバの左右両側には前記噛合チャンバが設けられ、左右の前記噛合チャンバの間には前記伝動ロッドが回転できるように取り付けられ、前記伝動ロッドのうち前記伝動チャンバの中に位置したところには前記第三傘歯車が固定的に取り付けられ、前記動力ロッドの前側面には前記第四傘歯車が固定的に取り付けられ、前記第四傘歯車と前記第三傘歯車とが噛合している。
【００１０】
更の技術プラン、前記噛合チャンバの上方には第二ネジ山チャンバが設けられ、前記第二ネジ山チャンバの中には第二ネジ山ブロックがスライドできるように取り付けられ、前記第二ネジ山ブロックの中には下方に開口した第二ネジ山孔が設けられ、前記第二ネジ山チャンバと前記噛合チャンバとの間には第二ネジロッドが回転できるように取り付けられ、前記第二ネジロッドの底面には第五傘歯車が固定的に取り付けられ、前記伝動ロッドの左右側面には第六傘歯車が固定的に取り付けられ、前記第五傘歯車と前記第六傘歯車とが噛合しており、前記第二ネジ山ブロックの頂面には押し動かしロッドが固定的に取り付けられ、前記押し動かしロッドが前記培養箱とスライドできるように取り付けられ、前記押し動かしロッドと前記固定箱とが固定的に連結されている。
【００１１】
更の技術プラン、前記保温機構は保温板と、補助ブロックと、挟み板とから構成され、前記固定箱の頂面には前記保温板が固定的に取り付けられ、前記固定箱の頂面のうち前記保温板の後側に位置したところには前記補助ブロックが固定的に取り付けられ、前記補助ブロックには前記挟み板がヒンジによって取り付けられ、前記挟み板は前記保温板をカバーすることができる。
【００１２】
更の技術プラン、前記移動チャンバの下方には収集チャンバが連通するように設けられ、前記収集チャンバの下方には出口が連通するように設けられ、前記出口が前記培養箱の底面を貫通しており、植物にかける水の余った部分が連結溝と収集チャンバとを経由して出口から流れ出る。
【発明の効果】
【００１３】
本発明は培養盆によって野生植物を培養し、野生植物を移植栽培する時に、移動機構と固定機構との協働によって野生植物を土と一緒に装置から送り出すことができ、また、土と野生植物とを栽培盆から離れさせることもでき、野生植物と土とを装置から取り出す過程において野生植物を傷つけないようにし、野生植物と土とを移植位置に入れることに便利であり、野生植物の栽培の成功率を上げ、普及価値がある。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成略図
【図２】図２は図１のＡ―Ａ方向の断面構成略図
【図３】図３は図１のＢ―Ｂ方向の断面構成略図
【図４】図４は培養盆の構成略図
【図５】図５は図１のＣ―Ｃ方向の断面構成略図
【図６】図６は図１のＤの拡大略図
【発明を実施するための形態】
【００１６】
図１〜６を参照し、本発明の珍貴な植物と絶滅危惧野生植物との栽培装置は、培養箱１２を含み、培養箱１２の中には上方に開口した移動チャンバ３４が設けられ、前記移動チャンバ３４の中には栽培用の培養盆３８が二つ置かれ、前記移動チャンバ３４の中には前記培養盆３８を固定しまたは移動することができる固定機構１０１が設けられ、前記固定機構１０１は前記移動チャンバ３４の左右両側の内壁にスライドできるように取り付けられた固定箱２８を含み、前記固定箱２８の中には第一ネジ山チャンバ４１が設けられ、前記第一ネジ山チャンバ４１の中には第一ネジ山ブロック４０がスライドできるように取り付けられ、前記第一ネジ山ブロック４０には固定ロッド３３が固定的に取り付けられ、前記固定ロッド３３と前記固定箱２８とがスライドできるように取り付けられ、前記固定ロッド３３と前記培養盆３８とが固定的に取り付けられ、前記第一ネジ山ブロック４０が移動する時、前記第一ネジ山ブロック４０が前記培養盆３８を移動連動させ、左右の前記培養盆３８が互いにくっつくことによって野生植物の苗木を培養するとができ、左右の前記培養盆３８が互いに離れることによって野生植物の苗木を土と一緒に取り出して移植することができ、前記培養箱１２の中には前記培養盆３８を装置から出すことができる移動機構１０２が設けられ、前記移動機構１０２は前記培養箱１２の中に設けられた伝動チャンバ２１を含み、前記伝動チャンバ２１の後側内壁の中には前記培養箱１２の後側面を貫通した動力ロッド４７が回転できるように取り付けられ、前記動力ロッド４７には揺動ロッド４８が固定的に取り付けられ、前記揺動ロッド４８は前記移動機構１０２に動力を提供し、前記固定箱２８の頂面には前記培養箱３８の中に栽培された野生植物を保温することができる保温機構１０３が固定的に取り付けられている。
【００１７】
前記培養盆３８の中には流水溝４３が設けられ、土から流れてくる水は前記流水溝４３を経由し前記培養盆３８から流れ出ることができる。
【００１８】
前記固定機構１０１は前記第一ネジ山ブロック４０の中に設けられた第一ネジ山孔３９を含み、前記第一ネジ山チャンバ４１の片側には回転チャンバ２６が設けられ、前記回転チャンバ２６と前記第一ネジ山チャンバ４１との間には第一ネジロッド３１が回転できるように取り付けられ、前記第一ネジロッド３１と前記第一ネジ山孔３９とがねじ山によって取り付けられ、前記第一ネジロッド３１のうち前記回転チャンバ２６の中に位置したところには第一傘歯車２５が固定的に取り付けられ、前記回転チャンバ２６の頂壁の中には前記固定箱２８の頂面を貫通したノブロッド２９が回転できるように取り付けられ、前記ノブロッド２９の底面には第二傘歯車２７が固定的に取り付けられ、前記第二傘歯車２７と前記第一傘歯車２５とが噛合しており、前記ノブロッド２９の頂面にはノブ３０が固定的に取り付けられ、これによって左右の培養盆３８をくっつけまたは離れさせる時、ノブ３０を回してノブロッド２９を回転連動させ、ノブロッド２９が回転し第二傘歯車２７を回転連動させ、第二傘歯車２７が第一傘歯車２５との噛合により第一ネジロッド３１を回転連動させ、第一ネジロッド３１が回転し第一ネジ山ブロック４０を左右に移動連動させ、固定ロッド３３に培養盆３８を移動連動させる。
【００１９】
前記培養チャンバ３７の中には置き板３５がスライドできるように取り付けられ、前記置き板３５の中には抜き穴３６が設けられ、前記置き板３５の底面には支持ロッド４４が固定的に取り付けられ、前記支持ロッド４４が前記流水溝４３を貫通しており、前記支持ロッド４４の左右両側には移動ブロック４２が固定的に取り付けられ、前記移動ブロック４２にはヒンジロッド５２がヒンジによって取り付けられ、前記ヒンジロッド５２と前記第一ネジ山ブロック４０とがヒンジによって取り付けられ、これによって土を置き板３５の上方に置き、抜き穴３６が水を流通させることができ、左右の栽培盆３８が互いに離れる時、移動ブロック４２がヒンジロッド５２によって上方へ移動し、置き板３５を上方へ移動させ、土と野生植物とを送り出す。
【００２０】
前記移動機構１０２は前記伝動チャンバ２１の左右両側に設置された噛合チャンバ１８を含み、左右の前記噛合チャンバ１８の間には伝動ロッド２０が回転できるように取り付けられ、前記伝動ロッド２０のうち前記伝動チャンバ２１の中に位置したところには第三傘歯車２３が固定的に取り付けられ、前記動力ロッド４７の前側面には第四傘歯車２２が固定的に取り付けられ、前記第四傘歯車２２と前記第三傘歯車２３とが噛合しており、これによって揺動ロッド４８を回転させる時に動力ロッド４７を回転連動させ、動力ロッド４７が回転し第四傘歯車２２を回転連動させ、第四傘歯車２２が第三傘歯車２３との噛合によって伝動ロッド２０を回転連動させ、伝動ロッド２０が回転し固定箱２８の移動に動力を提供する。
【００２１】
前記噛合チャンバ１８の上方には第二ネジ山チャンバ１１が設けられ、前記第二ネジ山チャンバ１１の中には第二ネジ山ブロック１５がスライドできるように取り付けられ、前記第二ネジ山ブロック１５の中には下方に開口した第二ネジ山孔１４が設けられ、前記第二ネジ山チャンバ１１と前記噛合チャンバ１８との間には第二ネジロッド１６が回転できるように取り付けられ、前記第二ネジロッド１６の底面には第五傘歯車１７が固定的に取り付けられ、前記伝動ロッド２０の左右側面には第六傘歯車１９が固定的に取り付けられ、前記第五傘歯車１７と前記第六傘歯車１９とが噛合しており、前記第二ネジ山ブロック１５の頂面には押し動かしロッド１３が固定的に取り付けられ、前記押し動かしロッド１３が前記培養箱１２とスライドできるように取り付けられ、前記押し動かしロッド１３と前記固定箱２８とが固定的に連結され、これによって伝動ロッド２０が回転する時、伝動ロッド２０が第六傘歯車１９と第五傘歯車１７との噛合によって第二ネジロッド１６を回転連動させ、第二ネジロッド１６が回転し第二ネジ山ブロック１５を上下に移動連動させ、第二ネジ山ブロック１５が上下に移動し、押し動かしロッド１３によって固定箱２８を上下に移動連動させる。
【００２２】
前記保温機構１０３は前記固定箱２８の頂面に固定的に取り付けられた保温板５１を含み、前記固定箱２８の頂面のうち前記保温板５１の後側に位置したところには補助ブロック４９が固定的に取り付けられ、前記補助ブロック４９には挟み板５０がヒンジによって取り付けられ、前記挟み板５０は前記保温板５１をカバーすることができ、これによって保温膜を保温板５１と挟み板５０との間に置き、野生植物を保温することができる。
【００２３】
前記移動チャンバ３４の下方には収集チャンバ４６が連通するように設けられ、前記収集チャンバ４６の下方には出口２４が連通するように設けられ、前記出口２４が前記培養箱１２の底面を貫通しており、植物にかける水の余った部分が連結溝４５と収集チャンバ４６とを経由して出口２４から流れ出る。
【００２４】
使用するとき、左右の培養盆３８をくっつけまたは離れさせる必要がある時、ノブ３０を回してノブロッド２９を回転連動させ、ノブロッド２９が回転し第二傘歯車２７を回転連動させ、第二傘歯車２７が第一傘歯車２５との噛合により第一ネジロッド３１を回転連動させ、第一ネジロッド３１が回転し第一ネジ山ブロック４０を左右に移動連動させ、固定ロッド３３に培養盆３８を移動連動させ、左右の培養盆３８が互いにくっつくことによって野生植物の苗木を培養するとができ、左右の培養盆３８が互いに離れることによって野生植物の苗木を土と一緒に取り出して移植することができ、土を置き板３５の上方に置き、抜き穴３６が水を流通させることができ、左右の栽培盆３８が互いに離れる時、移動ブロック４２がヒンジロッド５２によって上方へ移動し、置き板３５を上方へ移動させ、土と野生植物とを送り出し、揺動ロッド４８を回転させる時に動力ロッド４７を回転連動させ、動力ロッド４７が回転し第四傘歯車２２を回転連動させ、第四傘歯車２２が第三傘歯車２３との噛合によって伝動ロッド２０を回転連動させ、伝動ロッド２０が第六傘歯車１９と第五傘歯車１７との噛合によって第二ネジロッド１６を回転連動させ、第二ネジロッド１６が回転し第二ネジ山ブロック１５を上下に移動連動させ、第二ネジ山ブロック１５が上下に移動し押し動かしロッド１３によって固定箱２８を上下に移動連動させ、培養盆３８を装置から送り出し、植物にかける水の余った部分が連結溝４５と収集チャンバ４６とを経由して出口２４から流れ出る。
【００２５】
本発明の有益効果は：本発明は培養盆によって野生植物を培養し、野生植物を移植栽培する時に、移動機構と固定機構との協働によって野生植物を土と一緒に装置から送り出すことができ、また、土と野生植物とを栽培盆から離れさせることもでき、野生植物と土とを装置から取り出す過程において野生植物を傷つけないようにし、野生植物と土とを移植位置に入れることに便利であり、野生植物の栽培の成功率を上げ、普及価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182440.tif 000003
【図２】
2020182440.tif 000004
【図３】
2020182440.tif 000005
【図４】
2020182440.tif 000006
【図５】
2020182440.tif 000007
【図６】
2020182440.tif 000008
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
正面視で、培養箱を含み、培養箱の中には上方に開口した移動チャンバが設けられ、前記移動チャンバの中には栽培用の培養盆が二つ置かれ、前記移動チャンバの中には前記培養盆を固定しまたは移動することができる固定機構が設けられ、前記固定機構は前記移動チャンバの左右両側の内壁にスライドできるように取り付けられた固定箱を含み、前記固定箱の中には第一ネジ山チャンバが設けられ、前記第一ネジ山チャンバの中には第一ネジ山ブロックがスライドできるように取り付けられ、前記第一ネジ山ブロックには固定ロッドが固定的に取り付けられ、前記固定ロッドと前記固定箱とがスライドできるように取り付けられ、前記固定ロッドと前記培養盆とが固定的に取り付けられ、前記第一ネジ山ブロックが移動する時、前記第一ネジ山ブロックが前記培養盆を移動連動させ、左右の前記培養盆が互いにくっつくことによって野生植物の苗木を培養するとができ、左右の前記培養盆が互いに離れることによって野生植物の苗木を土と一緒に取り出して移植することができ、前記培養箱の中には前記培養盆を装置から出すことができる移動機構が設けられ、前記移動機構は前記培養箱の中に設けられた伝動チャンバを含み、前記伝動チャンバの後側内壁の中には前記培養箱の後側面を貫通した動力ロッドが回転できるように取り付けられ、前記動力ロッドには揺動ロッドが固定的に取り付けられ、前記揺動ロッドは前記移動機構に動力を提供し、
前記固定箱の頂面には前記培養箱の中に栽培された野生植物を保温することができる保温機構が固定的に取り付けられ、
前記固定機構は第一ネジ山孔と、回転チャンバと、第一ネジロッド、第一傘歯車と、ノブロッドと、第二傘歯車と、ノブとから構成され、
前記第一ネジ山ブロックの中には前記第一ネジ山孔が設けられ、前記第一ネジ山チャンバの片側には前記回転チャンバが設けられ、前記回転チャンバと前記第一ネジ山チャンバとの間には前記第一ネジロッドが回転できるように取り付けられ、前記第一ネジロッドと前記第一ネジ山孔とがねじ山によって取り付けられ、前記第一ネジロッドのうち前記回転チャンバの中に位置したところには前記第一傘歯車が固定的に取り付けられ、前記回転チャンバの頂壁の中には前記固定箱の頂面を貫通したノブロッドが回転できるように取り付けられ、前記ノブロッドの底面には前記第二傘歯車が固定的に取り付けられ、前記第二傘歯車と前記第一傘歯車とが噛合しており、前記ノブロッドの頂面には前記ノブが固定的に取り付けられ、
前記培養チャンバの中には置き板が上下にスライドできるように取り付けられ、前記置き板の中には抜き穴が設けられ、前記置き板の底面には支持ロッドが固定的に取り付けられ、前記支持ロッドが前記流水溝を貫通しており、前記支持ロッドの左右両側には移動ブロックが固定的に取り付けられ、前記移動ブロックにはヒンジロッドがヒンジによって取り付けられ、前記ヒンジロッドと前記第一ネジ山ブロックとがヒンジによって取り付けられ、
前記移動機構は噛合チャンバと、伝動ロッドと、第三傘歯車と、第四傘歯車とから構成され、
前記伝動チャンバの左右両側には前記噛合チャンバが設けられ、左右の前記噛合チャンバの間には前記伝動ロッドが回転できるように取り付けられ、前記伝動ロッドのうち前記伝動チャンバの中に位置したところには前記第三傘歯車が固定的に取り付けられ、前記動力ロッドの前側面には前記第四傘歯車が固定的に取り付けられ、前記第四傘歯車と前記第三傘歯車とが噛合し、
前記噛合チャンバの上方には第二ネジ山チャンバが設けられ、前記第二ネジ山チャンバの中には第二ネジ山ブロックがスライドできるように取り付けられ、前記第二ネジ山ブロックの中には下方に開口した第二ネジ山孔が設けられ、前記第二ネジ山チャンバと前記噛合チャンバとの間には第二ネジロッドが回転できるように取り付けられ、前記第二ネジロッドの底面には第五傘歯車が固定的に取り付けられ、前記伝動ロッドの左右側面には第六傘歯車が固定的に取り付けられ、前記第五傘歯車と前記第六傘歯車とが噛合しており、前記第二ネジ山ブロックの頂面には押し動かしロッドが固定的に取り付けられ、前記押し動かしロッドが前記培養箱とスライドできるように取り付けられ、前記押し動かしロッドと前記固定箱とが固定的に連結されていることを特徴とする珍貴な植物と絶滅危惧野生植物との栽培装置。
【請求項２】
前記培養盆の中には流水溝が設けられ、土から流れてくる水は前記流水溝を経由し前記培養盆から流れ出ることができることを特徴とする請求項１に記載の珍貴な植物と絶滅危惧野生植物との栽培装置。
【請求項３】
前記保温機構は保温板と、補助ブロックと、挟み板とから構成され、
前記固定箱の頂面には前記保温板が固定的に取り付けられ、前記固定箱の頂面のうち前記保温板の後側に位置したところには前記補助ブロックが固定的に取り付けられ、前記補助ブロックには前記挟み板がヒンジによって取り付けられ、前記挟み板は前記保温板をカバーすることができることを特徴とする請求項１に記載の珍貴な植物と絶滅危惧野生植物との栽培装置。
【請求項４】
前記移動チャンバの下方には収集チャンバが連通するように設けられ、前記収集チャンバの下方には出口が連通するように設けられ、前記出口が前記培養箱の底面を貫通しており、植物にかける水の余った部分が連結溝と収集チャンバとを経由して出口から流れ出ることを特徴とする請求項１に記載の珍貴な植物と絶滅危惧野生植物との栽培装置。
【手続補正２】
【補正対象書類名】明細書
【補正対象項目名】全文
【補正方法】変更
【補正の内容】
【発明の詳細な説明】
【技術分野】
【０００１】
本発明は植物栽培技術分野を取り上げて、具体的には珍貴な植物と絶滅危惧野生植物との栽培装置である。
【背景技術】
【０００２】
生物の多様性を保つため、珍貴な植物と絶滅危惧野生植物とを栽培し、絶滅させないようにする必要がある。
一般的に珍貴な植物と絶滅危惧野生植物とを栽培するには移植栽培を行う必要があり、また、移植栽培の過程で野生植物の根部を傷つけないように、野生植物を大きな土の塊と一緒に移植する必要があり、しかし一般的な栽培装置は野生植物と土とを装置内から取り出すことが難しく、また、取り出す過程において野生植物を傷つける可能性がある。
【先行技術文献】
【特許文献】
【０００３】
【特許文献１】中国特許出願公開第１０４０９４８３３号明細書
【発明の概要】
【発明が解決しようとする課題】
【０００４】
本発明の目的は珍貴な植物と絶滅危惧野生植物との栽培装置を提供し、それは上記の現在の技術中の問題を解決できる。
【課題を解決するための手段】
【０００５】
本発明の珍貴な植物と絶滅危惧野生植物との栽培装置は、培養箱を含み、培養箱の中には上方に開口した移動チャンバが設けられ、前記移動チャンバの中には栽培用の培養盆が二つ置かれ、前記移動チャンバの中には前記培養盆を固定しまたは移動することができる固定機構が設けられ、前記固定機構は前記移動チャンバの左右両側の内壁にスライドできるように取り付けられた固定箱を含み、前記固定箱の中には第一ネジ山チャンバが設けられ、前記第一ネジ山チャンバの中には第一ネジ山ブロックがスライドできるように取り付けられ、前記第一ネジ山ブロックには固定ロッドが固定的に取り付けられ、前記固定ロッドと前記固定箱とがスライドできるように取り付けられ、前記固定ロッドと前記培養盆とが固定的に取り付けられ、前記第一ネジ山ブロックが移動する時、前記第一ネジ山ブロックが前記培養盆を移動連動させ、左右の前記培養盆が互いにくっつくことによって野生植物の苗木を培養するとができ、左右の前記培養盆が互いに離れることによって野生植物の苗木を土と一緒に取り出して移植することができ、前記培養箱の中には前記培養盆を装置から出すことができる移動機構が設けられ、前記移動機構は前記培養箱の中に設けられた伝動チャンバを含み、前記伝動チャンバの後側内壁の中には前記培養箱の後側面を貫通した動力ロッドが回転できるように取り付けられ、前記動力ロッドには揺動ロッドが固定的に取り付けられ、前記揺動ロッドを回転させることによって前記移動機構に動力を提供し、
前記固定箱の頂面には前記培養箱の中に栽培された野生植物を保温することができる保温機構が固定的に取り付けられている。
【０００６】
更の技術プラン、前記培養盆の中には流水溝が設けられ、土から流れてくる水は前記流水溝を経由し前記培養盆から流れ出ることができる。
【０００７】
更の技術プラン、前記固定機構は第一ネジ山孔と、回転チャンバと、第一ネジロッド、第一傘歯車と、ノブロッドと、第二傘歯車と、ノブとから構成され、前記第一ネジ山ブロックの中には前記第一ネジ山孔が設けられ、前記第一ネジ山チャンバの片側には前記回転チャンバが設けられ、前記回転チャンバと前記第一ネジ山チャンバとの間には前記第一ネジロッドが回転できるように取り付けられ、前記第一ネジロッドと前記第一ネジ山孔とがねじ山によって取り付けられ、前記第一ネジロッドのうち前記回転チャンバの中に位置したところには前記第一傘歯車が固定的に取り付けられ、前記回転チャンバの頂壁の中には前記固定箱の頂面を貫通したノブロッドが回転できるように取り付けられ、前記ノブロッドの底面には前記第二傘歯車が固定的に取り付けられ、前記第二傘歯車と前記第一傘歯車とが噛合しており、前記ノブロッドの頂面には前記ノブが固定的に取り付けられている。
【０００８】
更の技術プラン、前記培養チャンバの中には置き板が上下にスライドできるように取り付けられ、前記置き板の中には抜き穴が設けられ、前記置き板の底面には支持ロッドが固定的に取り付けられ、前記支持ロッドが前記流水溝を貫通しており、前記支持ロッドの左右両側には移動ブロックが固定的に取り付けられ、前記移動ブロックにはヒンジロッドがヒンジによって取り付けられ、前記ヒンジロッドと前記第一ネジ山ブロックとがヒンジによって取り付けられている。
【０００９】
更の技術プラン、前記移動機構は噛合チャンバと、伝動ロッドと、第三傘歯車と、第四傘歯車とから構成され、前記伝動チャンバの左右両側には前記噛合チャンバが設けられ、左右の前記噛合チャンバの間には前記伝動ロッドが回転できるように取り付けられ、前記伝動ロッドのうち前記伝動チャンバの中に位置したところには前記第三傘歯車が固定的に取り付けられ、前記動力ロッドの前側面には前記第四傘歯車が固定的に取り付けられ、前記第四傘歯車と前記第三傘歯車とが噛合している。
【００１０】
更の技術プラン、前記噛合チャンバの上方には第二ネジ山チャンバが設けられ、前記第二ネジ山チャンバの中には第二ネジ山ブロックがスライドできるように取り付けられ、前記第二ネジ山ブロックの中には下方に開口した第二ネジ山孔が設けられ、前記第二ネジ山チャンバと前記噛合チャンバとの間には第二ネジロッドが回転できるように取り付けられ、前記第二ネジロッドの底面には第五傘歯車が固定的に取り付けられ、前記伝動ロッドの左右側面には第六傘歯車が固定的に取り付けられ、前記第五傘歯車と前記第六傘歯車とが噛合しており、前記第二ネジ山ブロックの頂面には押し動かしロッドが固定的に取り付けられ、前記押し動かしロッドが前記培養箱とスライドできるように取り付けられ、前記押し動かしロッドと前記固定箱とが固定的に連結されている。
【００１１】
更の技術プラン、前記保温機構は保温板と、補助ブロックと、挟み板とから構成され、前記固定箱の頂面には前記保温板が固定的に取り付けられ、前記固定箱の頂面のうち前記保温板の後側に位置したところには前記補助ブロックが固定的に取り付けられ、前記補助ブロックには前記挟み板がヒンジによって取り付けられ、前記挟み板は前記保温板をカバーすることができる。
【００１２】
更の技術プラン、前記移動チャンバの下方には収集チャンバが連通するように設けられ、前記収集チャンバの下方には出口が連通するように設けられ、前記出口が前記培養箱の底面を貫通しており、植物にかける水の余った部分が連結溝と収集チャンバとを経由して出口から流れ出る。
【発明の効果】
【００１３】
本発明は培養盆によって野生植物を培養し、野生植物を移植栽培する時に、移動機構と固定機構との協働によって野生植物を土と一緒に装置から送り出すことができ、また、土と野生植物とを栽培盆から離れさせることもでき、野生植物と土とを装置から取り出す過程において野生植物を傷つけないようにし、野生植物と土とを移植位置に入れることに便利であり、野生植物の栽培の成功率を上げ、普及価値がある。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成略図
【図２】図２は図１のＡ―Ａ方向の断面構成略図
【図３】図３は図１のＢ―Ｂ方向の断面構成略図
【図４】図４は培養盆の構成略図
【図５】図５は図１のＣ―Ｃ方向の断面構成略図
【図６】図６は図１のＤの拡大略図
【発明を実施するための形態】
【００１６】
図１〜６を参照し、本発明の珍貴な植物と絶滅危惧野生植物との栽培装置は、培養箱１２を含み、培養箱１２の中には上方に開口した移動チャンバ３４が設けられ、前記移動チャンバ３４の中には栽培用の培養盆３８が二つ置かれ、前記移動チャンバ３４の中には前記培養盆３８を固定しまたは移動することができる固定機構１０１が設けられ、前記固定機構１０１は前記移動チャンバ３４の左右両側の内壁にスライドできるように取り付けられた固定箱２８を含み、前記固定箱２８の中には第一ネジ山チャンバ４１が設けられ、前記第一ネジ山チャンバ４１の中には第一ネジ山ブロック４０がスライドできるように取り付けられ、前記第一ネジ山ブロック４０には固定ロッド３３が固定的に取り付けられ、前記固定ロッド３３と前記固定箱２８とがスライドできるように取り付けられ、前記固定ロッド３３と前記培養盆３８とが固定的に取り付けられ、前記第一ネジ山ブロック４０が移動する時、前記第一ネジ山ブロック４０が前記培養盆３８を移動連動させ、左右の前記培養盆３８が互いにくっつくことによって野生植物の苗木を培養するとができ、左右の前記培養盆３８が互いに離れることによって野生植物の苗木を土と一緒に取り出して移植することができ、前記培養箱１２の中には前記培養盆３８を装置から出すことができる移動機構１０２が設けられ、前記移動機構１０２は前記培養箱１２の中に設けられた伝動チャンバ２１を含み、前記伝動チャンバ２１の後側内壁の中には前記培養箱１２の後側面を貫通した動力ロッド４７が回転できるように取り付けられ、前記動力ロッド４７には揺動ロッド４８が固定的に取り付けられ、前記揺動ロッド４８は前記移動機構１０２に動力を提供し、前記固定箱２８の頂面には前記培養箱３８の中に栽培された野生植物を保温することができる保温機構１０３が固定的に取り付けられている。
【００１７】
前記培養盆３８の中には流水溝４３が設けられ、土から流れてくる水は前記流水溝４３を経由し前記培養盆３８から流れ出ることができる。
【００１８】
前記固定機構１０１は前記第一ネジ山ブロック４０の中に設けられた第一ネジ山孔３９を含み、前記第一ネジ山チャンバ４１の片側には回転チャンバ２６が設けられ、前記回転チャンバ２６と前記第一ネジ山チャンバ４１との間には第一ネジロッド３１が回転できるように取り付けられ、前記第一ネジロッド３１と前記第一ネジ山孔３９とがねじ山によって取り付けられ、前記第一ネジロッド３１のうち前記回転チャンバ２６の中に位置したところには第一傘歯車２５が固定的に取り付けられ、前記回転チャンバ２６の頂壁の中には前記固定箱２８の頂面を貫通したノブロッド２９が回転できるように取り付けられ、前記ノブロッド２９の底面には第二傘歯車２７が固定的に取り付けられ、前記第二傘歯車２７と前記第一傘歯車２５とが噛合しており、前記ノブロッド２９の頂面にはノブ３０が固定的に取り付けられ、これによって左右の培養盆３８をくっつけまたは離れさせる時、ノブ３０を回してノブロッド２９を回転連動させ、ノブロッド２９が回転し第二傘歯車２７を回転連動させ、第二傘歯車２７が第一傘歯車２５との噛合により第一ネジロッド３１を回転連動させ、第一ネジロッド３１が回転し第一ネジ山ブロック４０を左右に移動連動させ、固定ロッド３３に培養盆３８を移動連動させる。
【００１９】
前記培養チャンバ３７の中には置き板３５が上下にスライドできるように取り付けられ、前記置き板３５の中には抜き穴３６が設けられ、前記置き板３５の底面には支持ロッド４４が固定的に取り付けられ、前記支持ロッド４４が前記流水溝４３を貫通しており、前記支持ロッド４４の左右両側には移動ブロック４２が固定的に取り付けられ、前記移動ブロック４２にはヒンジロッド５２がヒンジによって取り付けられ、前記ヒンジロッド５２と前記第一ネジ山ブロック４０とがヒンジによって取り付けられ、これによって土を置き板３５の上方に置き、抜き穴３６が水を流通させることができ、左右の栽培盆３８が互いに離れる時、移動ブロック４２がヒンジロッド５２によって上方へ移動し、置き板３５を上方へ移動させ、土と野生植物とを送り出す。
【００２０】
前記移動機構１０２は前記伝動チャンバ２１の左右両側に設置された噛合チャンバ１８を含み、左右の前記噛合チャンバ１８の間には伝動ロッド２０が回転できるように取り付けられ、前記伝動ロッド２０のうち前記伝動チャンバ２１の中に位置したところには第三傘歯車２３が固定的に取り付けられ、前記動力ロッド４７の前側面には第四傘歯車２２が固定的に取り付けられ、前記第四傘歯車２２と前記第三傘歯車２３とが噛合しており、これによって揺動ロッド４８を回転させる時に動力ロッド４７を回転連動させ、動力ロッド４７が回転し第四傘歯車２２を回転連動させ、第四傘歯車２２が第三傘歯車２３との噛合によって伝動ロッド２０を回転連動させ、伝動ロッド２０が回転し固定箱２８の移動に動力を提供する。
【００２１】
前記噛合チャンバ１８の上方には第二ネジ山チャンバ１１が設けられ、前記第二ネジ山チャンバ１１の中には第二ネジ山ブロック１５がスライドできるように取り付けられ、前記第二ネジ山ブロック１５の中には下方に開口した第二ネジ山孔１４が設けられ、前記第二ネジ山チャンバ１１と前記噛合チャンバ１８との間には第二ネジロッド１６が回転できるように取り付けられ、前記第二ネジロッド１６の底面には第五傘歯車１７が固定的に取り付けられ、前記伝動ロッド２０の左右側面には第六傘歯車１９が固定的に取り付けられ、前記第五傘歯車１７と前記第六傘歯車１９とが噛合しており、前記第二ネジ山ブロック１５の頂面には押し動かしロッド１３が固定的に取り付けられ、前記押し動かしロッド１３が前記培養箱１２とスライドできるように取り付けられ、前記押し動かしロッド１３と前記固定箱２８とが固定的に連結され、これによって伝動ロッド２０が回転する時、伝動ロッド２０が第六傘歯車１９と第五傘歯車１７との噛合によって第二ネジロッド１６を回転連動させ、第二ネジロッド１６が回転し第二ネジ山ブロック１５を上下に移動連動させ、第二ネジ山ブロック１５が上下に移動し、押し動かしロッド１３によって固定箱２８を上下に移動連動させる。
【００２２】
前記保温機構１０３は前記固定箱２８の頂面に固定的に取り付けられた保温板５１を含み、前記固定箱２８の頂面のうち前記保温板５１の後側に位置したところには補助ブロック４９が固定的に取り付けられ、前記補助ブロック４９には挟み板５０がヒンジによって取り付けられ、前記挟み板５０は前記保温板５１をカバーすることができ、これによって保温膜を保温板５１と挟み板５０との間に置き、野生植物を保温することができる。
【００２３】
前記移動チャンバ３４の下方には収集チャンバ４６が連通するように設けられ、前記収集チャンバ４６の下方には出口２４が連通するように設けられ、前記出口２４が前記培養箱１２の底面を貫通しており、植物にかける水の余った部分が連結溝４５と収集チャンバ４６とを経由して出口２４から流れ出る。
【００２４】
使用するとき、左右の培養盆３８をくっつけまたは離れさせる必要がある時、ノブ３０を回してノブロッド２９を回転連動させ、ノブロッド２９が回転し第二傘歯車２７を回転連動させ、第二傘歯車２７が第一傘歯車２５との噛合により第一ネジロッド３１を回転連動させ、第一ネジロッド３１が回転し第一ネジ山ブロック４０を左右に移動連動させ、固定ロッド３３に培養盆３８を移動連動させ、左右の培養盆３８が互いにくっつくことによって野生植物の苗木を培養するとができ、左右の培養盆３８が互いに離れることによって野生植物の苗木を土と一緒に取り出して移植することができ、土を置き板３５の上方に置き、抜き穴３６が水を流通させることができ、左右の栽培盆３８が互いに離れる時、移動ブロック４２がヒンジロッド５２によって上方へ移動し、置き板３５を上方へ移動させ、土と野生植物とを送り出し、揺動ロッド４８を回転させる時に動力ロッド４７を回転連動させ、動力ロッド４７が回転し第四傘歯車２２を回転連動させ、第四傘歯車２２が第三傘歯車２３との噛合によって伝動ロッド２０を回転連動させ、伝動ロッド２０が第六傘歯車１９と第五傘歯車１７との噛合によって第二ネジロッド１６を回転連動させ、第二ネジロッド１６が回転し第二ネジ山ブロック１５を上下に移動連動させ、第二ネジ山ブロック１５が上下に移動し押し動かしロッド１３によって固定箱２８を上下に移動連動させ、培養盆３８を装置から送り出し、植物にかける水の余った部分が連結溝４５と収集チャンバ４６とを経由して出口２４から流れ出る。
【００２５】
本発明の有益効果は：本発明は培養盆によって野生植物を培養し、野生植物を移植栽培する時に、移動機構と固定機構との協働によって野生植物を土と一緒に装置から送り出すことができ、また、土と野生植物とを栽培盆から離れさせることもでき、野生植物と土とを装置から取り出す過程において野生植物を傷つけないようにし、野生植物と土とを移植位置に入れることに便利であり、野生植物の栽培の成功率を上げ、普及価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。